【手続補正書】
【提出日】平成27年3月27日(2015.3.27)
【手続補正１】
【補正対象書類名】明細書
【補正対象項目名】００４８
【補正方法】変更
【補正の内容】
【００４８】
図１０を参照するに、カートン箱１は、各開口部３６に結合して蓋２４の所望されない開きを回避したり、必要に応じて蓋２４の閉じ動作及び／又は開き動作中に音を発したりすることができる少なくとも１つの要素３５を有する。結合要素３５は、蓋２４の前壁２８の内面３７に配置され、これに対応する開口部３６は箱１の前壁７に形成される。
【手続補正２】
【補正対象書類名】明細書
【補正対象項目名】００８４
【補正方法】変更
【補正の内容】
【００８４】
第３のブランク５１は又、第２予備折曲線及び／又は脆弱化線２５に平行な第３の折曲線７２によって第５パネル７０に接続された第６パネル７１を有する。
【手続補正３】
【補正対象書類名】特許請求の範囲
【補正対象項目名】全文
【補正方法】変更
【補正の内容】
【特許請求の範囲】
【請求項１】
複数の壁（７、８、９、１０、１１、１２）を有するたばこ製品パケットのカートン箱であって、
カートン箱は夫々が少なくとも１列（１５）のたばこ製品パケット（２）を含む少なくとも２つの容器（１３、１４）を有し、
各容器（１３、１４）は、底壁（１６）と、第１及び第２の小さい側壁（１７、１８）と、第１及び第２の大きい側壁（１９ 、２０）と、を有し、
第１及び第２容器（１３、１４）の第１及び第２の小さい側壁（１７、１８）は夫々カートン箱（１）の側壁（９、１０）を形成し、第１及び第２容器（１３、１４）の第１の大きい側壁（１９）はカートン箱（１）の底壁（１１）を形成し、
各容器（１３、１４）の底壁（１６）は巻きたばこの包装体（２）の列（１５）を収容するように設計され、
各パケット（２）は、その大きい側壁（６）が互いに平行に並び合い、パケット（２）の後壁（４）が容器の底壁（１６）と接触するように規則正しく配置され、
容器（１３、１４）は、壁（７、８、９、１０、１１、１２）の内の少なくとも１つの壁に沿って設けられた少なくとも第１の予備折曲線及び／又は脆弱化線（２２）に沿って互いに接続されると共に、本のように開いてパケット（２）を取り出せる位置と、容器（１３、１４）が実質上隣り合い、かつ／又は重なり合うような閉じ位置との間で、第１予備折曲線及び／又は脆弱化線（２２）の周りで回転でき、
カートン箱（１）は閉じ位置で容器（１３、１４）をロックする手段（２４）を有することを特徴とするカートン箱。
【請求項２】
壁（７、８、９、１０、１１、１２）は、前壁（７）と、後壁（８）と、前壁（７）と後壁（８）に対して横方向に延びる２つの側壁（９、１０）と、底壁（１１）と、上壁（１２）とを成し、ロック手段は少なくとも上壁（１２）を少なくとも部分的に覆う少なくとも１つの蓋（２４）を有すると共に、蓋は第２の予備折曲線及び／又は脆弱化線（２５）に沿って少なくとも１つの容器（１３、１４）に接続することを特徴とする請求項１に記載のカートン箱。
【請求項３】
容器（１３、１４）が互いに対して回転できるように、第２の予備折曲線及び／又は脆弱化線（２５）は第１の予備折曲線及び／又は脆弱化線（２２）に対して平行又は横方向であることを特徴とする請求項２に記載のカートン箱。
【請求項４】
蓋（２４）は前壁（７）を部分的に覆うことを特徴とする請求項２又は３に記載のカートン箱。
【請求項５】
蓋（２４）は、上壁（２６）と、２つの側壁又は側部（２７）と、前壁（２８）とを有し、カートン箱（１）が閉じ位置にある時は、蓋（２４）は上壁（１２）と、少なくとも部分的に、前壁（７）と側壁（９、１０）とを覆うことを特徴とする請求項２〜４の何れか一項に記載のカートン箱。
【請求項６】
第２の予備折曲線及び／又は脆弱化線（２５）はカートン箱（１）の上壁（１２）の一端縁部に沿って設けられていることを特徴とする請求項２〜５の何れか一項に記載のカートン箱。
【請求項７】
第２の予備折曲線及び／又は脆弱化線（２５）はカートン箱（１）の後壁（８）に沿って設けられていることを特徴とする請求項２〜５の何れか一項に記載のカートン箱。
【請求項８】
第２の予備折曲線及び／又は脆弱化線（２５）はカートン箱（１）の上壁（１２）に沿って設けられていることを特徴とする請求項２〜５の何れか一項に記載のカートン箱。
【請求項９】
夫々の列（１５）にある各パケット（２）を夫々の容器（１３、１４）内に保持するための手段（３０）を有することを特徴とする請求項１〜８の何れか一項に記載のカートン箱。
【請求項１０】
保持手段（３０）は、壁（１６）で塗布されて各パケット（２）と夫々の容器（１３、１４）との間で一時的な接続部を形成する少なくとも１つの接着剤物質層を有することを特徴とする請求項９に記載のカートン箱。
【請求項１１】
保持手段（３０）は、各容器（１３、１４）に関連して容器（１３、１４）内のパケット（２）の列（１５）を少なくとも部分的に覆う少なくとも１つの遮蔽部材（３１）有することを特徴とする請求項９に記載のカートン箱。
【請求項１２】
遮蔽部材（３１）は少なくとも部分的に取り外し可能であることを特徴とする請求項１１に記載のカートン箱。
【請求項１３】
底壁（１１）又は２つの側壁（９、 １０）のどちらかに設けられた容器（１３、１４）を接続するための接続手段（３４）を有し、接続手段（３４）は予備折曲線及び／又は脆弱化線（２２）を成すことを特徴とする請求項１〜１２の何れか一項に記載のカートン箱。
【請求項１４】
接続手段（３４）は、底壁（１１）又は２つの側壁（９、 １０）のどちらかを少なくとも部分的に覆うバンドを有することを特徴とする請求項１３に記載のカートン箱。
【請求項１５】
バンドは、後壁（８）及び／又は前壁（７）を少なくとも部分的に覆うように延びることを特徴とする請求項１４に記載のカートン箱。
【請求項１６】
蓋（２４）の所望されない開きを防止することができると共に、必要なら蓋（２４）の閉鎖中及び／又は開放中に音を発することができる夫々の開口部（３６）と結合するための少なくとも１つの要素（３５）を有し、
結合要素（３５）は蓋（２４）の前壁（２８）の内面（３７）に配置され、対応する開口部（３６）はカートン箱（１）の前壁（７）に形成されることを特徴とする請求項１〜１５の何れか一項に記載のカートン箱。
【請求項１７】
蓋（２４）の所望されない開きを防止することができると共に、必要なら蓋（２４）の閉鎖中及び／又は開放中に音を発することができる夫々の開口部（３６）と結合するための少なくとも１つの要素（３５）を有し、
結合要素（３５）はカートン箱（１）の前壁（７）に配置され、対応する開口部（３６）は蓋（７）の前壁（２８）に形成されることを特徴とする請求項１〜１５の何れか一項に記載のカートン箱。
【請求項１８】
各容器（１３、１４）は、パケットの除去を容易にするための少なくとも１つの領域（２１）を備えることを特徴とする請求項１〜１７の何れか一項に記載のカートン箱。
【請求項１９】
包装材料からなる少なくとも単一の平坦ブランクから形成されることを特徴とする請求項１〜１８の何れか一項に記載のカートン箱。
【請求項２０】
カートン箱は第１の容器（１３）と第２の容器（１４）とを有し、
容器（１３、１４）は、主要な長手軸（Ｂ）を有した包装材料の実質上矩形の第１の平坦ブランク（４０）又は第２平坦ブランク（４１）から夫々得られ、
各ブランク（４０、４１）は、容器（１３、１４）の底壁（１６）を成す中央パネル（４２）と、長手軸（Ｂ）に対して実質上垂直な各折曲線（４４）によって中央パネル（４２）に夫々接続された第１小型サイドフラップ（４３）及び第２大型サイドフラップ（４４）と、長手軸（Ｂ）に対して実質上平行な各折曲線（５０）によって中央パネル（４２）に夫々接続された第１大型サイドフラップ（４６）及び第２小型サイドフラップ（４７）と、を有し、
第１大型サイドフラップ（４６）及び第２小型サイドフラップ（４７）は夫々、１組の舌部（４８）を有し、各組の舌部（４８）は長手軸（Ｂ）に対して実質上垂直な各折曲線（４５）によって各大型サイドフラップ（４６、４７）に接続され、第１小型サイドフラップ（４３）と第２大型サイドフラップ（４４）と第１大型サイドフラップ（４６）と第２小型サイドフラップ（４７）と各組の舌部（４８）とにより容器の各側壁（１７、１８、１９、２０）を形成することを特徴とする請求項１〜１８の何れか一項に記載のカートン箱。
【請求項２１】
蓋（２４）及び容器（１３、１４）を接続するための手段（３４）は、包装材料からなる第３の平坦ブランク（５１）から得られることを特徴とする請求項２０に記載のカートン箱。
【請求項２２】
第３のブランク（５１）は実質上矩形であり、
第３のブランク（５１）は、
第１パネル（５２）と、
第２の予備折曲線及び／又は脆弱化線（２５）によって第１パネル（５２）に接続された第２パネル（５３）と、
第２の予備折曲線及び／又は脆弱化線（２５）に対して横方向の各折曲線（５５）によって第２パネル（５３）に接続された第１の組の側舌部（５４）と、
第２の予備折曲線及び／又は脆弱化線（２５）に平行な第１の折曲線（６０）によって前記第２パネル（５３）に接続された第３パネル（５９）と、
第２の予備折曲線及び／又は脆弱化線（２５）に対して横方向の各折曲線（６２）によって第３２パネル（５９）に接続された第２の組の側舌部（６１）と、
第２の予備折曲線及び／又は脆弱化線（２５）に平行な第２の折曲線（６０）によって第１パネル（５２）に接続された第４パネル（６８）と、
第２の予備折曲線及び／又は脆弱化線（２５）に平行な前記第１の予備折曲線及び／又は脆弱化線（２２）によって第４パネル（６８）に接続された第５パネル（７０）と、を有し、
第２パネル（５３）と第３パネル（５９）と各組の側舌部（５４、６１）は蓋（２４）を成し、第４パネル（６８）と第５パネル（７９）は容器（１３、１４）を接続する手段（３４）を形成することを特徴とする請求項２１に記載のカートン箱。
【請求項２３】
第３のブランク（５１）の第１パネル（５２）と第２パネル（５３）が、カートン箱（１）の後壁（８）を形成する容器（１３、１４）の内の一方の中央パネル（４２）に接続され、第３のブランク（５１）の第４パネル（６８）と第５パネル（７０）が、カートン箱（１）の底壁（１１）を形成する第１の容器（１３）及び第２の容器（１４）の夫々の第１大型サイドフラップ（４６）に接続されていることを特徴とする請求項２２に記載のカートン箱。
【請求項２４】
第３ブランク（５１）は、第２の予備折曲線及び／又は脆弱化線（２５）に平行な第３の折曲線（７２）により第５パネル（７０）に接続された第６パネル（７１）を有することを特徴とする請求項２２に記載のカートン箱。
【請求項２５】
第３ブランク（５１）の第１パネル（５２）と第２パネル（５３）はカートン箱（１）の後壁（８）を形成する第１の容器（１３）の中央パネル（４２）に接続され、第３ブランク（５１）の第４パネル（６８）と第５パネル（７０）はカートン箱（１）の底壁（１１）を形成する第１の容器（１３）及び第２の容器（１４）の夫々の第１大型サイドフラップ（４６）に接続され、第３ブランク（５１）の第６パネル（７１）はカートン箱（１）の前壁（７）を形成する第２の容器（１４）の中央パネル（４６）に接続されていることを特徴とする請求項２４に記載のカートン箱。